(57)【特許請求の範囲】
【請求項１】
錠ケース（１）内に、ラッチボルト（３）とデットボルト（２）を、遊びを持って連動させる２連カム（４）と、２連カムの動きをカムシャフト（９）を通して、デットボルトを動かすウサギカム（１１）に伝えるスライダー（１０）を設け、２連カムの軸穴（５）に軸を通したレバーハンドルを、定位である水平位置から上に上げると、ラッチボルトが動かずにデットボルトが突き出し、レバーハンドルから手を離すと、デットボルトは突き出たままでレバーハンドルが水平に戻り、その状態から、レバーハンドルを下げるとデットボルトとラッチボルトが引っ込み、レバーハンドルから手を離すとラッチボルト（３）が突き出し、デットボルト（２）が引っ込んだままレバーハンドルが水平に戻る、１本のレバーハンドル操作でデットボルトの出し入れとラッチボルトの引っ込めを行ない、スライダー（１０）に他の錠を連結して、連動させて動かせる事を特徴とするレバーハンドル錠機構。
【請求項２】
１個のレバーハンドルでラッチボルトとデットボルトを操作する手段として、ラッチボルトとデットボルトを、レバーハンドルの回転角度に角度差である遊びを持たせて連動させる仕組みである、２個のカムを連動させた２連カム（図４）に代えて、１個のカムに、ラッチボルト（２６）を動かすラッチ腕（２２）と、デットボルトを動かすデット腕（２３）を持つ２腕カム（２０）を使い、デット腕でデットボルトを動かすにあたり、デット腕（２３）とスライダー（２７）を、２連カムの遊びにあたる、遊び（２５）を持つ遊び付きカムシャフト（２４）で連結する事で、２連カムを使った時と、同じ操作と同じ動作である、レバーハンドルを、定位である水平位置から上に上げると、ラッチボルトが動かずにデットボルトが突き出し、レバーハンドルから手を離すと、デットボルトは突き出たままでレバーハンドルが水平に戻り、その状態から、レバーハンドルを下げるとデットボルトとラッチボルトが引っ込み、レバーハンドルから手を離すとラッチボルト（３）が突き出し、デットボルト（２）が引っ込んだままレバーハンドルが水平に戻る、１本のレバーハンドル操作でデットボルトの出し入れとラッチボルトの引っ込めを行ない、スライダー（１０）に他の錠を連結して、連動させて動かせる事を可能にした請求項１記載のレバーハンドル錠機構。
【請求項３】
１個のレバーハンドルで、ラッチボルト（３１）とデットボルト（３２）を操作する手段として、レバーハンドルの軸に組み合わせて、レバーハンドルの回転軸を軸に回転するカムで、ラッチボルト（３１）を動かすラッチカム（図５Ｂ
）とデットボルト（３２）を動かすデットカム（図５Ａ）の、２個のカムを組み合わせ、ラッチカムとデットカムの間に、回転の遊び角度（１９）を設けて組み合わせた、請求項１記載の機構の中の２連カム（２８）を使い、２連カムの、デットカム（図５Ａ）でデットボルト（３２）を動かすにあたり、スライダーを設けずに、デットボルトを出し入れする部伐であるウサギカム（３０）とデットカム（図５Ａ）を、直接カムシャフト（２９）で連結した錠構造で、レバーハンドルを水平位置から上に上げると、ラッチボルトは動かずにデットボルトが突き出し、レバーハンドルから手を離すと、デットボルトが突き出たままでレバーハンドルが水平に戻り、その状態から、レバーハンドルを下げるとデットボルトとラッチボルトが引っ込み、レバーハンドルから手を離すとラッチボルトが突き出し、デットボルトが引っ込んだままレバーハンドルが水平に戻る動きを可能にした、他錠と連動しないレバーハンドル錠機構。
【請求項４】
１個のレバーハンドルで、ラッチボルト（４２）とデットボルト（４１）を操作する手段として、レバーハンドルの軸を組みつけるカムを、１本の腕を持つカム板（３３）として、カム板に対して、レバーハンドルの回転軸から近い半径位置に、ラッチボルト（４２）に連結してラッチボルトを動かすラッチ腕（３７）を組みつけ、回転軸から遠い位置に、デットボルト（４１）に連結してデットボルトを動かすデットシャフト（３９）を組みつけ、デットシャフトに、デットボルトとカム板との間に回転の遊び（３８）を設けた仕組みで、請求項３記載の錠機構の錠と、同じ操作と同じ動作である、レバーハンドルを水平位置から上に上げると、ラッチボルトは動かずにデットボルトが突き出し、レバーハンドルから手を離すと、デットボルトが突き出たままでレバーハンドルが水平に戻り、その状態から、レバーハンドルを下げるとデットボルトとラッチボルトが引っ込み、レバーハンドルから手を離すとラッチボルトが突き出し、デットボルトが引っ込んだままレバーハンドルが水平に戻る動きを可能にしたレバーハンドル錠機構。
【請求項５】
１個のレバーハンドルで、ラッチボルト（５２）とデットボルト（５３）を操作する手段として、デットボルト（５３）を動かすデットカム（４３）とラッチボルト（５２）を動かすラッチカム（４７）の、２個のカムをギア（４５）（４９）で連結し、デットカム（４３）には、デットカムの回転軸にレバーハンドルを組みつける軸穴（４４）を設け、デットカム（４３）でデットボルト（５３）を動かすにあたり、デットカムとデットボルトに間に遊び（５１）を設けて連結する仕組みで、請求項３記載の錠機構の錠と、同じ操作と同じ動作である、レバーハンドルを水平位置から上に上げると、ラッチボルトは動かずにデットボルトが突き出し、レバーハンドルから手を離すと、デットボルトが突き出たままでレバーハンドルが水平に戻り、その状態から、レバーハンドルを下げるとデットボルトとラッチボルトが引っ込み、レバーハンドルから手を離すとラッチボルトが突き出し、デットボルトが引っ込んだままレバーハンドルが水平に戻る動きを可能にしたレバーハンドル錠機構。
【発明の詳細な説明】
【０００１】
【発明の属する技術分野】
錠の作動を強力に行うために１本のレバーハンドルでデットボルトとラッチボルトを動かし、また、複数の錠を連結して連動させる事を可能にした錠機構に関する。
【０００２】
【従来の技術】
従来の錠はラッチボルトをレバーハンドルや握り玉を回して引っ込めて扉を開け、キーやサムターンを指でつまんで回すことでデットボルトを出し入れして施解錠を行っている。
パニック機能を持つ錠ではレバーハンドルでデットボルトを引っ込めるものも有るが、その錠にはレバーハンドルでデットボルトを突き出す機能は無い。
ラッチボルトの無いグレモン錠ではデットボルトの出し入れをレバーハンドルを回して行うが、ラッチボルトが無いため一般の扉には使えない。
握り玉やレバーハンドルでデットボルトの出し入れとラッチボルトの引っ込めの両方を行う錠は見られない。
防犯が重視させるようになって１ドア２ロックのように１枚の扉に複数の錠を取り付ける事が多くなったが、それらの複数の錠を連結して連動させる錠も見られない。
【０００３】
【発明が解決しようとする課題】
錠のデットボルトを強力に突き出し、また引っ込める錠を作る事と、１枚の扉に取り付けた複数の錠を連動させて施錠と解錠を行う事の２点である。
理由を説明する。キーやサムターンを指でつまんで、回してデットボルト出し入れして施解錠する事は、扉や錠に圧力が掛かった状態では重たくて操作できない。地震で扉の枠が変形した時、空調のために扉の内外に気圧差が有る場合、気密室で気密を保つために枠に強いゴムクッションを回してある時等は、施錠状態ではレバーハンドルを回すとラッチボルトが引っ込み、残ったデットボルトに圧力が集中してキーやサムターンではデットボルトを引っ込める事ができない。すなわち解錠できない。
また、防犯が重視されだして１枚の扉に複数の錠を取り付ける事が多くなったが、多くの錠を取り付けると取り付けた錠の数だけ施解錠の操作をしなければならない。従来の技術では、キーやサムターンの操作を他の錠と連動させようとすると重たくなって操作ができない。
【０００４】
【課題を解決するための手段】
デットボルトの突き出しと引っ込めをレバーハンドルで行う事で強力に突き出し、引っ込めを行うようにした。レバーハンドルでデットボルトの出し入れとラッチボルトの引っ込めを行う場合、デットボルトとラッチボルトの動きは同一であってはならない。動きに差を持たせて連動させなければならない。従来はその技術が見られず、実現できなかったものである。
本発明では請求項１と３記載の錠機構が２連カムを使ってその動きを実現させたものであり、請求項２記載の錠機構が２腕カムと遊び付きカムシャフトを使って実現させ、請求項４記載の錠機構がラッチ腕を組み付けたカム板と遊びを設けたデットシャフトを介してデットボルトをカム板に組み合わせて実現させ、請求項５記載の錠機構がデットボルトを動かすデットカムと、ラッチボルトを動かすラッチカムを２軸に分けてギアで連結し、デットボルトとデットカムを遊びを設けて連結させて実現したものである。デットボルトの出し入れはキーやサムターンで行われず、レバーハンドルでデットボルトを突き出した後にキー又はサムターンでデットボルトの動きを固定し、またはデットボルトの固定を解いてレバーハンドルでデットボルトを引っ込める機構とした事で、軽い力で施錠と解錠が行えるようにしたものである。キーやサムターンでデットボルトの固定と解除を行う方法はグレモン錠等で行っている従来技術である。
デットボルトの突き出しと引っ込めを強力に行えるようにした事で、デットボルトの動きに連動させて他の複数の錠を連動させる事も可能にしたものである。錠ケース内に上下に動くスライダーを設け、スライダーとデットボルトを連動させ、スライダーの上下に他の複数の錠を連結して連動させるものである。請求項１記載の錠機構が２連カムの動きをシャフトでスライダーを経由してウサギカムを介してデットボルトを動かすものであり、請求項２記載の錠機構が２連カムの動きを２腕カムと遊び付きカムシャフトに代えたものである。
【０００５】
【発明の実施の形態】
図２に基づいて請求項１記載の錠の動きを説明する。レバーハンドル軸を２連カム(4)の軸穴(5)に通す、レバーハンドルの向きは水平を定位とする。レバーハンドルは手を離すと２連カムの遊びとバネにより常に定位に戻る。図２はデットボルトを引っ込めた解錠状態である。レバーハンドルを上げると図上では左回転となり、２連カムのラッチカムがデットカムを押し回し、デットカムの腕(7)がカムシャフト(9)を介してスライダー(10)を押し上げる。スライダーはウサギカム(11)を回し、デットボルト(2)が突き出る。レバーハンドルから手を離すとデットボルトが突き出たままでレバーハンドルが定位に戻る。その状態は施錠状態では無く、施錠はシリンダー軸受け(15)に組み付けたシリンダーやサムターンで、キーやサムターンを回す事でダルマ(14)を回し、ダルマがロッキングバー(16)を押し、ロッキングバーがデットボルト(2)を固定する事で施錠する。解錠はその逆を行い、ロッキングバーがデットボルトの固定を解除した後にレバーハンドルを回してデットボルトを引っ込める。このデットボルトの固定方法はグレモン錠等で行っている従来の技術である。図３がその施錠状態の部品の位置を示す。レバーハンドルの向きが定位置に図示しているが、レバーハンドルから手を離せば２連カムのラッチカムとデットカム間の遊び角度によってレバーハンドルは定位に戻る。
図３の状態から、デットボルトの固定を解いてレバーハンドルを下げると、図３では右回転となりデットボルトとラッチボルトが引っ込む、次にレバーハンドルから手を離すとラッチボルトが突き出してレバーハンドルが定位に戻り、図２の状態になる。
施錠と解錠はデットボルトの出し入れでなく、キーやサムターンでデットボルトの固定と解除を行うだけなので軽い力で施解錠ができ、錠や扉に圧力を受けていても操作が重たくなる事は無い。
補助錠や他の錠を連結して連動させる時はスライダー(10)の上下の外部連結バー(12)(13)にロット棒(17)(18)を使って連結させて行う。スライダーの動きはデットボルトの動きと同一なために連結した複数の錠のデットボルトも連動させて出し入れさせる事ができる。キーやサムターンで施錠すれば連結した錠も連動して施錠となる。
従来の錠ではデットボルトの出し入れをキーやサムターンで行うので、複数の錠を連結した場合は重くて動かせない。
図４と図５は２連カムを説明するための図であり、図６は２連カムの動きを説明する図である。２連カムは１本のレバーハンドルでラッチボルトとデットボルトの動きに差を持って連動させるための重要な部品である。２連カムはレバーハンドルの軸受けとなり、同心軸上に、ラッチボルトを動かすラッチカムとデットボルトを動かすデットカムを回転に遊び角度を持って連動するように組み合わせたものである。
図７は２連カムを２腕カム(20)に代え、２連カムの遊び角度を２腕カムに連結する遊び付きカムシャフト(24)の遊び(25)に代えてスライダーを動かす請求項２記載の機構を説明する図である。２腕カムのラッチ腕(22)でラッチボルトを動かし、デット腕(23)でデットボルトを遊びを持って動かす事で２連カムを使った錠と同じ動きをさせる事ができる。レバーハンドルを操作した時の状態毎の２腕カム周囲の動きをＡＢＣＤで示したものである。
図８は請求項１記載の錠からスライダーを取り去り、レバーハンドルの操作で強力にデットボルトの出し入れとラッチボルトの入れを行い、他の錠と連動させない請求項３記載の機構を説明する図である。他の錠を連動させる必要が無ければスライダーは必要が無く、カムシャフト(29)でウサギカム(30)を直接動かしてデットボルト(32)を出し入れするものである。
図９は請求項３記載の錠機構の２連カムを別の機構に代えた錠機構である。カム板(33)に回転軸を持ったラッチ腕(37)を設け、デットボルト(41)に、回転軸を持ち遊び(38)の付いたデットシャフト(39)を設け、カム板とデットシャフトを組み合わせる事で２連カムと同様の動きを実現した請求項４記載の錠機構である。レバーハンドルを操作した時の状態毎のカム板周囲の動きをＡＢＣＤで示したものである。
図１０は請求項３記載の錠機構の２連カムを別の機構に代えた錠機構である。デットボルト(53)と組み合わせて遊び(51)をもってデットボルトを動かすデットカム(43)と、ラッチボルト(52)を動かすラッチカム(47)を２軸に分け、ギア(45)(49)を使ってデットカムとラッチカムを連結した請求項５記載の錠機構を説明する図である。図はデットボルトを引っ込めた解錠状態でレバーハンドルの向きは定位を示す。レバーハンドルを上げればデットボルトが突き出す。レバーハンドルを上げずに下げればデットボルトは動かずラッチボルトが引っ込む。
【０００６】
【発明の効果】
扉や錠に圧力が掛かった状態では、従来の錠ではデットボルトの出し入れが重くなって施解錠操作ができなかったが、発明の機構を使う事でレバーハンドルで強力にデットボルトの出し入れができ、施解錠が可能となった。また、その強力なデットボルトの作動力を生かして、錠ケース内にデットボルトと連動するスライダーを設け、スライダーに他の複数の錠を連結して、連結した全ての錠のデットボルトを同時に突き出し、引っ込める事を可能にした。１枚の扉に数個の錠を取り付けて連結しても、数個の錠のデットボルトの出し入れをレバーハンドルの軽い操作で行うことを可能にした。
【図面の簡単な説明】
【図１】  発明のレバーハンドル錠機構を持つ錠の、錠ケースの蓋を外して主要部品の説明をする斜視図である。
【図２】  図１のＡ−Ａ断面図でデットボルトを引っ込めた状態の部品の位置を示す。
【図３】  図１のＡ−Ａ断面図でデットボルトを突き出して施錠した状態の部品の位置を示す。
【図４】  ２連カムの斜視図である。
【図５】Ａ・２連カムをラッチカムとデットカムに分解したデットカム斜視図である。
Ｂ・２連カムをラッチカムとデットカムに分解したラッチカムの斜視図である。
【図６】Ａ・２連カムの、デットボルトを引っ込めてレバーハンドルが定位置にある時の状態を示す。
Ｂ・２連カムの、レバーハンドルを持ち上げてデットボルトを突き出した時の状態を示す。
Ｃ・２連カムの、デットボルトが突き出てレバーハンドルが定位置にある時の状態を示す。
Ｄ・２連カムの、レバーハンドルを下げてデットボルトとラッチボルトを引っ込めた時の状態を示す。
【図７】Ａ・２腕カムの、デットボルトを引っ込めてレバーハンドルが定位置にある時の状態を示す。
Ｂ・２腕カムの、レバーハンドルを持ち上げてデットボルトを突き出した時の状態を示す。
Ｃ・２腕カムの、デットボルトが突き出てレバーハンドルが定位置にある時の状態を示す。
Ｄ・２腕カムの、レバーハンドルを下げてデットボルトとラッチボルトを引っ込めた時の状態を示す。
【図８】  スライダーを設けず、２連カムの動きを直接ウサギカムに伝える錠機構の、デットボルトが引っ込んでレバーハンドルが定位置にある部品の状態を示す。
【図９】Ａ・カム板の、デットボルトを引っ込めてレバーハンドルが定位置にある時の状態を示す。
Ｂ・カム板の、レバーハンドルを持ち上げてデットボルトを突き出した時の状態を示す。
Ｃ・カム板の、デットボルトが突き出てレバーハンドルが定位置にある時の状態を示す。
Ｄ・カム板の、レバーハンドルを下げてデットボルトとラッチボルトを引っ込めた時の状態を示す。
【図１０】  ２連カムをデットカムとラッチカムの２軸に分け、ギアで連動させた錠機構の、デットボルトが引っ込んでレバーハンドルが定位置にある部品の状態を示す。
【図１１】  従来のレバーハンドル錠の斜視図である。
【図１２】  図１１のＡ−Ａ断面で、内部構造を示す。
【符号の説明】
１．  錠ケース
２．  デットボルト
３．  ラッチボルト
４．  ２連カム
５．  軸穴
６．  ラッチカムの腕
７．  デットカムの腕
８．  レバーハンドル定位設定バー
９．  カムシャフト
１０．  スライダー
１１．  ウサギカム
１２．  外部連結バー
１３．  外部連結バー
１４．  ダルマ
１５．  シリンダー軸受け
１６．  ロッキングバー
１７．  ロッド棒
１８．  ロッド棒
１９．  遊び角度
２０．  ２腕カム
２１．  軸穴
２２．  ラッチ腕
２３．  デット腕
２４．  遊び付きカムシャフト
２５．  遊び
２６．  ラッチボルト
２７．  スライダー
２８．  ２連カム
２９．  カムシャフト
３０．  ウサギカム
３１．  ラッチボルト
３２．  デットボルト
３３．  カム板
３４．  軸穴
３５．  ラッチ瓜
３６．  ガイド突起
３７．  ラッチ腕
３８．  遊び
３９．  デットシャフト
４０．  ガイド溝
４１．  デットボルト
４２．  ラッチボルト
４３．  デットカム
４４．  軸穴
４５．  ギア
４６．  デット瓜
４７．  ラッチカム
４８．  ラッチ瓜
４９．  ギア
５０．  回転軸
５１．  遊び
５２．  ラッチボルト
５３．  デットボルト
５４．  シリンダー
５５．  サムターン
５６．  レバーハンドル
５７．  シリンダー取付位置
５８．  ダルマ
５９．  ラッチカム
６０．  レバーハンドル軸穴
【図１】
0004235694.tif 000002
【図２】
0004235694.tif 000003
【図３】
0004235694.tif 000004
【図４】
0004235694.tif 000005
【図５】
0004235694.tif 000006
【図６】
0004235694.tif 000007
【図７】
0004235694.tif 000008
【図８】
0004235694.tif 000009
【図９】
0004235694.tif 000010
【図１０】
0004235694.tif 000011
【図１１】
0004235694.tif 000012
【図１２】
0004235694.tif 000013